(57)【特許請求の範囲】
【請求項１】
建物の壁に固定される固定部材と、竪樋を保持するアーム部材と、を備える竪樋支持具であって、
前記固定部材は第１の熱可塑性樹脂によって形成されるとともに、前記アーム部材はメタリック材を含有する第２の熱可塑性樹脂によって形成されることを特徴とする竪樋支持具。
【請求項２】
前記第１の熱可塑性樹脂及び／又は前記第２の熱可塑性樹脂は、アクリロニトリル−エチレンプロピレン系ゴム−スチレン共重合体（ＡＥＳ）樹脂を主成分とする樹脂組成物によって形成されることを特徴とする請求項１に記載の竪樋支持具。
【請求項３】
前記アーム部材は、一方の端部に回動軸部を備え、他方の端部に掛止突起部を備えるとともに、前記固定部材は、軸受部と掛止溝部とを備え、
前記回動軸部は前記軸受部に回動自在に嵌め合わされ、前記掛止突起部は前記掛止溝部に掛止されて、前記竪樋を保持することを特徴とする請求項１又は請求項２に記載の竪樋支持具。
【請求項４】
請求項１乃至請求項３のいずれか一項に記載の竪樋支持具によって、前記竪樋を支持する竪樋支持構造であって、
前記竪樋の外周面は第２の熱可塑性樹脂に近似した色調のＡＥＳ樹脂によって被覆されていることを特徴とする竪樋支持構造。
【発明の詳細な説明】
【技術分野】
【０００１】
本発明は、竪樋を支持する竪樋支持具と、この竪樋支持具によって竪樋を支持する竪樋支持構造と、に関するものである。
【背景技術】
【０００２】
従来、竪樋を壁に取り付ける場合、竪樋支持具が用いられている。
【０００３】
この竪樋支持具としては、建物の壁に固定される固定部材と、竪樋を保持するアーム部材と、を備えるものが一般的である。
【０００４】
例えば、特許文献１では、竪樋を支持する樋受具と、壁面に取り付け可能な止め具と、止め具と樋受具とを連絡して支持する支持腕部とを備えた竪樋支持具が開示されている。
【０００５】
そして、この特許文献１では、支持腕部が横荷重を吸収可能でかつ横荷重除去後には復元可能な軟質材を中間部に備えることを特徴としている。
【０００６】
この特許文献１の構成によれば、竪樋支持具に横荷重が作用した場合に、止め具を壁面に固定するネジ部分に力が集中して、壁面のネジ止め部分が破損することを避けることができる。
【特許文献１】特開２００２−２９４９５３号公報
【発明の開示】
【発明が解決しようとする課題】
【０００７】
しかしながら、前記した特許文献１の竪樋支持具は、外観意匠に配慮したものではなかった。
【０００８】
したがって、近年採用されることの多いメタリック調の竪樋に取り付けた場合には、竪樋との質感、色合いの違いにより、外観意匠が悪いものとなっていた。
【０００９】
一方、竪樋支持具の全体をメタリック調のメタリック樹脂で成型した場合、このメタリック樹脂は衝撃に弱く、耐久性が低いという問題があった。
【００１０】
そこで、本発明は、外観意匠が良好であるうえに、耐久性の高い竪樋支持具と、この竪樋支持具を備える竪樋支持構造と、を提供することを目的としている。
【課題を解決するための手段】
【００１１】
前記目的を達成するために、本発明の竪樋支持具は、建物の壁に固定される固定部材と、竪樋を保持するアーム部材と、を備える竪樋支持具であって、前記固定部材は第１の熱可塑性樹脂によって形成されるとともに、前記アーム部材はメタリック材を含有する第２の熱可塑性樹脂によって形成されることを特徴とする。
【００１２】
本発明において用いられる第１の熱可塑性樹脂及び第２の熱可塑性樹脂としては、特に制限されないが、ポリエチレン樹脂、ポリプロピレン樹脂、塩化ビニル樹脂、ポリスチレン樹脂、ＡＢＳ樹脂、ＡＳＡ樹脂、ＡＥＳ樹脂、ＡＳ樹脂、アクリル樹脂、ポリカーボネート樹脂等が挙げられる。これらは単独又は２種以上組み合わせて用いてもよい。これらの中で、ＡＥＳ樹脂やアクリル樹脂、またはこれらの両樹脂の混合物が好適である。また、第１の熱可塑性樹脂と第２の熱可塑性樹脂は同一樹脂であっても異なる樹脂であってもよい。異なる樹脂の場合は、類似の樹脂特性を有するものが望ましい。
【００１３】
さらに、本発明において用いられるメタリック材としては、アルミニウム、すず等の粉末が挙げられる。これらの中で、扁平状のアルミニウムが好適である。
【００１４】
そして、本発明において、第２の熱可塑性樹脂に対するメタリック材の含有量としては、第２の熱可塑性樹脂１００重量部に対し、０．５〜５．０重量部が望ましい。
【００１５】
ここにおいて、本発明のＡＥＳ樹脂とは、アクリロニトリルとエチレンプロピレンゴムとスチレンという３種類のモノマーを重合させて形成されるもので、耐衝撃性や耐候性が大きいという性質を有している。
【００１６】
さらに、前記アーム部材は、一方の端部に回動軸部を備え、他方の端部に掛止突起部を備えるとともに、前記固定部材は、軸受部と掛止溝部とを備え、前記回動軸部は前記軸受部に回動自在に嵌め合わされ、前記掛止突起部は前記掛止溝部に掛止されて、前記竪樋を保持することができる。
【００１７】
そして、本発明の竪樋支持構造は、上記したいずれかの竪樋支持具によって、前記竪樋を支持する竪樋支持構造であって、前記竪樋の外周面はメタリック樹脂に近似した色調のＡＥＳ樹脂によって被覆されていることを特徴とする。
【発明の効果】
【００１８】
このように、本発明の竪樋支持具は、建物の壁に固定される固定部材と、竪樋を保持するアーム部材と、を備える竪樋支持具であって、前記固定部材は第１の熱可塑性樹脂によって形成されるとともに、前記アーム部材はメタリック材を含有する第２の熱可塑性樹脂によって形成されることを特徴とする。
【００１９】
したがって、アーム部材をメタリック材を含有する第２の熱可塑性樹脂によって形成することで外観意匠が良好になるとともに、固定部材を第１の熱可塑性樹脂によって形成することで耐久性が高くなる。
【００２０】
また、前記第１の熱可塑性樹脂及び／又は前記第２の熱可塑性樹脂は、アクリロニトリル−エチレンプロピレン系ゴム−スチレン共重合体（ＡＥＳ）樹脂を主成分とすることで、耐衝撃性や耐候性を大きくすることができる。
【００２１】
さらに、アーム部材は、一方の端部に回動軸部を備え、他方の端部に掛止突起部を備えるとともに、固定部材は、軸受部と掛止溝部とを備え、回動軸部は軸受部に回動自在に嵌め合わされ、掛止突起部は掛止溝部に掛止されて、竪樋を保持することができる。
【００２２】
したがって、固定部材とアーム部材とを別々に成型しておいて、嵌め合わせて組み立てることで、固定部材をＡＥＳ樹脂によって形成し、アーム部材をメタリック樹脂によって形成することが容易になる。
【００２３】
そして、本発明の竪樋支持構造は、竪樋の外周面はメタリック樹脂に近似した色調のＡＥＳ樹脂によって被覆されていることで、竪樋と竪樋支持具とが一体となって見えるため、外観意匠の良好な竪樋支持構造となる。
【発明を実施するための最良の形態】
【００２４】
以下、本発明の最良の実施の形態について図面を参照して説明する。
【００２５】
まず、図２を用いて本発明の竪樋支持構造Ｃの全体構成を説明する。
【００２６】
本発明の竪樋支持構造Ｃは、図２に示すように、屋根からの雨水を受け容れる軒樋６１と、この軒樋６１に溜まった雨水を集めるじょうご６２と、このじょうご６２からエルボ６３と上部竪樋６４とエルボ６３を介して雨水を通す竪樋２と、この竪樋２を支持する竪樋支持具３，・・・と、竪樋２の下端に接続される排水管カバー６５と、を備えている。
【００２７】
竪樋２は、塩化ビニルなどの樹脂によって、長尺の円筒状に形成されるもので、軸方向の複数箇所が竪樋支持具３，・・・によって壁１１に固定されることで支持されている。
【００２８】
そして、この竪樋２の外周面は、後述する竪樋支持具３のメタリック樹脂製のアーム部材５に近似した色調のＡＥＳ樹脂によって被覆されている。すなわち、図４（ａ），（ｂ）に示すように、竪樋２は、本体となる塩化ビニル層２１の外側に薄いＡＥＳ樹脂層２２を備えていることで、メタリック調の外観を備えている。
【００２９】
ここにおいて、本発明のＡＥＳ樹脂とは、アクリロニトリルとエチレンプロピレンゴムとスチレンという３種類のモノマーを重合させて形成されるもので、耐衝撃性や耐候性が大きいという性質を有している。
【００３０】
そして、本実施の形態の竪樋支持具３は、図３に示すように、固定部材４と、アーム部材５と、が異なる材料によって形成され、嵌め合わされて一体となっている。
【００３１】
この固定部材４は、熱可塑性樹脂としてのＡＥＳ樹脂によって形成されるもので、壁１１にビス４６，４６（図４参照）によって取り付けられる取付板部４３と、この取付板部４３に突設された支持腕部４４と、この支持腕部４４の先端の両側に設けられた軸受部４１及び掛止溝部４２と、を一体に備えている。
【００３２】
取付板部４３は、矩形の板状に形成されるもので、両端近傍に取付孔４５，４５が設けられており、図４（ｂ）に示すように、この取付孔４５，４５を通じてビス４６，４６によって壁１１に固定されている。
【００３３】
また、支持腕部４４は、中空の四角柱状に形成されて、取付板部４３の中央近傍に突設されている。
【００３４】
さらに、軸受部４１は、支持腕部４４の先端に設けた円弧状の腕の一方の端部に設けられるもので、切欠部を有する円筒が向かい合わせに配置されることで、この切欠部から回動軸部５１を嵌め込んで、回動できるように構成されている。
【００３５】
そして、掛止溝部４２は、支持腕部４４の先端に設けた円弧状の腕の上記軸受部４１の反対側の端部に設けられるもので、先端が折り返されて湾曲した爪状に形成されているため、掛止突起部５２を引っ掛けて外れないように構成されている。
【００３６】
また、アーム部材５は、熱可塑性樹脂にメタリック材を含有させたメタリック樹脂によって形成されるもので、円弧状の円弧部５３と、この円弧部５３の両端に設けられた回動軸部５１及び掛止突起部５２と、を一体に備えている。
【００３７】
ここにおいて、本発明のメタリック樹脂とは、熱可塑性樹脂にメタリック材を含有させたもので、このメタリック材としては、アルミニウム、すず等の粉末が挙げられる。これらの中でも、特に扁平状のアルミニウムが好適である。
【００３８】
この回動軸部５１は、中央の鍔部から両端に突出した軸を備えることで上記した固定部材４の軸受部４１に回動自在に嵌め合わされるとともに、軸の片側には顎部を備えることで回動する範囲が制限されている。
【００３９】
さらに、掛止突起部５２は、アーム部材５の端部が外側に膨らまされて、円柱状に形成されるもので、掛止溝部４２に引っ掛けられて外れないように構成されている。
【００４０】
そして、図４に示すように、固定部材４の軸受部４１にアーム部材５の回動軸部５１が嵌め合わされ、固定部材４の掛止溝部４２にアーム部材５の掛止突起部５２が掛止されることで、竪樋２が竪樋支持具３に保持されている。
【００４１】
つまり、竪樋２の外径は、竪樋支持具３の内径よりも大きく形成されており、掛止溝部４２が弾性範囲内で微小に変形して、竪樋２の外周面と竪樋支持具３の内周面とが互いに押し付け合うようにして固定されている。
【００４２】
次に、本実施の形態の竪樋支持具３によって竪樋２を支持する施工方法について図２を参照しながら説明する。
【００４３】
まず、別工程において、竪樋支持具３を構成する固定部材４とアーム部材５とを成型しておく。すなわち、固定部材４は、強度の大きいＡＥＳ樹脂によって成型し、アーム部材５は、美観の優れたメタリック樹脂によって成型しておく。
【００４４】
次に、固定部材４の軸受部４１にアーム部材の回動軸部５１を手で押し込み、回動自在に嵌め合わせる。
【００４５】
そして、図２に示すように、あらかじめ、軒先に配設された軒樋６１に接続されたじょうご６２に、エルボ６３を上向きに接続し、上部竪樋６４を横向きに接続し、さらにエルボ６３を下向きに接続しておく。
【００４６】
つづいて、この下向きのエルボ６３の端部に接続する位置に竪樋２が配設されるように、竪樋支持具３を所定の間隔をおいて上下に複数個設置する。
【００４７】
さらに、竪樋２の下端には、あらかじめ配水管カバー６５を装着しておく。
【００４８】
そして、竪樋支持具３のアーム部材５を開いた状態にしておき、竪樋２を固定部材４の支持腕部４４の先端の円弧に当接させ、アーム部材５を回動させて竪樋２の外周面を抱えるように閉じさせ、掛止突起部５２を掛止溝部４２に掛止させる。
【００４９】
ここにおいて、掛止溝部４２は、弾性範囲内で微小に変形させられ、竪樋２の外周面と竪樋支持具３の内周面とは互いに押し付け合っていることで、摩擦力が生じるため、竪樋２は竪樋支持具３に対してずれないようになる。
【００５０】
上記のようにして、竪樋２が竪樋支持具３，・・・に支持されて、竪樋支持構造Ｃが完成する。
【００５１】
次に、本実施の形態の竪樋支持具３の作用について説明する。
【００５２】
このように、本実施の形態の竪樋支持具３は、建物の壁１１に固定される固定部材４と、竪樋２を保持するアーム部材５と、を備えている。そして、固定部材４は第１の熱可塑性樹脂としてのＡＥＳ樹脂によって形成されるとともに、アーム部材３は第２の熱可塑性樹脂としてのメタリック樹脂によって形成されている。
【００５３】
したがって、アーム部材５をメタリック材を含有したメタリック樹脂によって形成することで外観意匠が良好になるとともに、固定部材４をＡＥＳ樹脂によって形成することで耐久性が高くなる。
【００５４】
つまり、図４に示すように、竪樋２を保持した状態では、アーム部材５は正面側となり、固定部材４は裏面側となるが、この正面側に位置するアーム部材５をメタリック樹脂で形成することによって、外観意匠が良好になる。
【００５５】
そして、裏面側に位置する固定部材４は、耐衝撃性や耐候性の大きいＡＥＳ樹脂によって形成されることで、竪樋支持具３全体としても耐衝撃性や耐候性の大きい構造となる。
【００５６】
すなわち、竪樋２を取り付ける際に荷重をかけられて変形する掛止溝部４２が、耐衝撃性や耐候性の大きいＡＥＳ樹脂製の固定部材４側にあることで全体の耐久性や耐候性が向上することになる。
【００５７】
一方で、アーム部材５は特に強い力で曲げられることはなく、回動軸部５１も回動するだけで引っ張るような力はほとんど加わらないため、メタリック樹脂によって形成しても強度上問題となることはない。
【００５８】
さらに、竪樋２を取り付けた後は、風圧力などによって主に支持腕部４４や取付板部４３に荷重がかかることになるが、これらの部分はＡＥＳ樹脂によって形成されているため、竪樋支持具３全体として高い耐衝撃性や耐候性を備えることになる。
【００５９】
そして、このようにアーム部材５をメタリック樹脂によって形成するとともに、固定部材４をＡＥＳ樹脂によって形成することで、外観意匠と耐久性の両方を備えた竪樋支持具３となる。
【００６０】
また、固定部材４は、メタリック樹脂に近似した色調のＡＥＳ樹脂によって形成することで、いっそう外観意匠が向上する。
【００６１】
すなわち、固定部材４は竪樋２を保持した状態では裏面側となるため、アーム部材５と比べると目立つ部分ではないが、この固定部材４をメタリック樹脂製のアーム部材５に近似した色調のＡＥＳ樹脂によって形成することによって、いっそう外観意匠を向上させることができる。
【００６２】
さらに、アーム部材５は、一方の端部に回動軸部５１を備え、他方の端部に掛止突起部５２を備えるとともに、固定部材４は、軸受部４１と掛止溝部４２とを備え、回動軸部５１は軸受部４１に回動自在に嵌め合わされ、掛止突起部５２は掛止溝部４２に掛止されて、竪樋２を保持している。
【００６３】
したがって、固定部材４とアーム部材５とを別々に成型しておいて、嵌め合わせて組み立てることで、固定部材４をＡＥＳ樹脂によって形成し、アーム部材５をメタリック樹脂によって形成することが容易になる。
【００６４】
つまり、アーム部材５は固定部材４に嵌め合わせて組み立てられるから、製造の際には別々に成型しておくことができる。
【００６５】
そして、本実施の形態の竪樋支持構造Ｃは、竪樋２の外周面は第２の可塑性樹脂としてのメタリック樹脂に近似した色調のＡＥＳ樹脂によって被覆されていることで、竪樋２と竪樋支持具３とが一体となって見えるため、外観意匠の良好な竪樋支持構造Ｃとなる。
【００６６】
すなわち、竪樋２の外周面の色調とアーム部材５の色調とが近似することで、竪樋支持構造Ｃ全体がメタリック調となり、外観の一体感がさらに高まるため、いっそう美観が向上する。
【００６７】
以上、図面を参照して、本発明の最良の実施の形態を詳述してきたが、具体的な構成は、この実施の形態に限らず、本発明の要旨を逸脱しない程度の設計的変更は、本発明に含まれる。
【００６８】
例えば、前記実施の形態では、固定部材４がメタリック樹脂に近似した色調のＡＥＳ樹脂によって形成される場合について説明したが、これに限定されるものではなく、アーム部材５と合わさって美観を有するものであれば、どのような色調のＡＥＳ樹脂であってもよい。
【００６９】
また、前記実施の形態では、竪樋２の外周面がメタリック樹脂に近似した色調のＡＥＳ樹脂によって被覆されている場合について説明したが、これに限定されるものではなく、メタリック調の外観を備えるものであればどのような色調のものでもよい。
【００７０】
さらに、前記実施の形態では、アーム部材５と固定部材４とが回動自在に嵌め合わされて竪樋２を保持する場合について説明したが、これに限定されるものではなく、竪樋２を保持するアーム部材５と壁１１に取り付けられる固定部材４とを備えるものであれば、どのような構成であっても適用できる。
【図面の簡単な説明】
【００７１】
【図１】本発明の最良の実施の形態の竪樋支持具の構成を説明する斜視図である。
【図２】本発明の最良の実施の形態の竪樋支持具によって竪樋を支持する竪樋支持構造の全体構成を説明する斜視図である。
【図３】本発明の最良の実施の形態の竪樋支持具の構成を説明する分解図である。
【図４】本発明の最良の実施の形態の竪樋支持具の断面図である。（ａ）は横断面図であり、（ｂ）は縦断面図である。
【符号の説明】
【００７２】
Ｃ            竪樋支持構造
１            建物
１１          壁
２            竪樋
２１          塩化ビニル層
２２          ＡＥＳ樹脂層
３            竪樋支持具
４            固定部材
４１          軸受部
４２          掛止溝部
５            アーム部材
５１          回動軸部
５２          掛止突起部
【図１】
0005060265.tif 000002
【図２】
0005060265.tif 000003
【図３】
0005060265.tif 000004
【図４】
0005060265.tif 000005